(57)【要約】【課題】  長尺物をかごに収容する場合には、伸長姿勢にすることによって、長尺物をかごに良好に収容することができながらも、通常の収容時には自転車のかごの内部空間が小さくなったり、柔らかい収容物がつぶれてしまうことを回避することができる自転車かごカバーを提供する。【解決手段】  本体カバー部２と、伸長姿勢と収納姿勢とに姿勢変更自在に構成された筒状の補助カバー部３と、前記補助カバー部３の上端開口部に設けられた蓋部４と、前記蓋部４を補助カバー部３に固定及び固定解除自在にするための蓋用ファスナー５と、前記補助カバー部３の中間部が前記本体カバー部２の内部に折り込まれた収納姿勢に姿勢変更された状態において、前記補助カバー部３の中間部を除いた上端側と下端側とを連結固定及び連結解除自在とするための上下方向で２つに分離可能なオープンファスナー６とを備える。【選択図】        図１
2006213240.tif 000002
【特許請求の範囲】
【請求項１】
自転車のかごの少なくとも側面を覆う筒状の本体カバー部と、前記本体カバー部の上端から延出されて前記かごよりも上方へ延びた伸長姿勢と該本体カバー部の内部に折り込まれて収納された収納姿勢とに姿勢変更自在に構成された筒状の補助カバー部と、前記補助カバー部の上端開口部を閉じるために開閉自在に設けられた蓋部と、前記蓋部を補助カバー部に固定及び固定解除自在にするための蓋用ファスナーと、
前記補助カバー部の中間部が前記本体カバー部の内部に折り込まれた収納姿勢に姿勢変更された状態において、前記補助カバー部の中間部を除いた上端側と下端側とを連結固定及び連結解除自在とするための上下方向で２つに分離可能なオープンファスナーとを備えさせたことを特徴とする自転車かごカバー。
【請求項２】
前記本体カバー部の内側に前記補助カバー部を位置させた状態で、前記オープンファスナーの下側のテープ部にて該本体カバー部と該補助カバー部とを連結してなる請求項１記載の自転車かごカバー。
【請求項３】
前記本体カバー部の外面には、反射部材を備えたポケットを備えてなる請求項１又は２記載の自転車かごカバー。
【請求項４】
前記補助カバー部の周面の一部又は全部に、該補助カバー部の上端と下端とにほぼ渡る状態で伸縮部材を備えさせてなる請求項１〜３のいずれかに記載の自転車かごカバー。
【請求項５】
前記補助カバー部の伸長姿勢において自転車のハンドルと前記蓋部とを連結して両者の間隔を設定間隔に保持するための間隔保持部材を備えてなる請求項１〜４のいずれかに記載の自転車かごカバー。
【発明の詳細な説明】
【技術分野】
【０００１】
本発明は、自転車の前かごや後かごに被せる自転車かごカバーに関するものである。
【背景技術】
【０００２】
自転車の前かごや後ろかごに収容した荷物をひったくり等の盗難に遭わないように、かごをネットや布などで覆っている。布などの繊維素材からなる自転車かごカバーとしては、筒状のカバー本体の上部開口に開閉自在な蓋部が設けられ、カバー本体をかごに被せた後に、カバー本体の下端周縁に設けられている紐を絞ることでカバー本体をかごに取り付け、蓋部を開けて荷物をかご内に収納した後に、該蓋を閉じることでひったくりによる被害を防いでいる。
また、かごから上方に突出するような長尺物をかごに収容することができるように構成された自転車かごカバーも提案されている。つまり、かごの高さよりも長い寸法に構成された筒状のカバー本体からなり、そのカバー本体をかごに上から被せて装着し、そのカバー本体の上下方向ほぼ中央部、つまり該かごの上端部に対応する位置付近に取り付けられたゴム紐にてその中央部分を内側へ収縮付勢してある。従って、通常時には、伸長姿勢のカバー本体の上端の蓋部をかごの上端位置まで下げることでゴム紐の伸縮力を利用してかごから上方へ延びている上側部分をかごの内部に縮んだ状態で収納することによって、かごの上端にカバー本体の蓋部が位置する収納姿勢に切り替えることができるようにして、カバーの高さが変更可能とする自転車かごカバーを構成している。尚、カバー本体の上端部外面とかごの上端よりも少し下方に位置する部位の外面とに面ファスナーを備えさせて、それら上下の面ファスナーを合わせて係止状態とすることによって、収納姿勢を保持することができるようになっている（例えば、特許文献１参照。）。
【特許文献１】特開２００３−３００４８９号公報
【発明の開示】
【発明が解決しようとする課題】
【０００３】
しかしながら、ネットや布などの繊維素材からなる自転車かごカバーでは、かごの上端からはみ出してしまう荷物を収納するときには、自転車かごカバーの蓋を開口しなければならず本来のひったくりによる被害を防止できないことがあった。
また、特許文献１記載の自転車かごカバーでは、かごの上端部に対応する位置にゴム紐を備えさせているため、カバー本体の収納姿勢において該ゴム紐の収縮力によりカバー本体の上側部分がかごの内部で収縮した状態で収納されているため、かごの蓋の開口の大きさに比べてかご内部の収納空間が前記ゴム紐によって収縮した上側部分によって小さくなってしまうことになり、かごに収納する荷物の量が少なくなったり、荷物の出し入れの邪魔になることや、該ゴム紐でパンなどの柔らかい（変形し易い）収容物などがつぶれてしまうこともあった。
【０００４】
本願発明は、係る問題に鑑み、長尺物をかごに収容する場合には、伸長姿勢にすることによって、長尺物をかごに良好に収容することができながらも、通常の収容時には自転車のかごの内部空間が小さくなったり、柔らかい収容物がつぶれてしまうことを回避することができる自転車かごカバーを提供する点にある。
【課題を解決するための手段】
【０００５】
本願発明に係る自転車かごカバーは、自転車のかごの少なくとも側面を覆う筒状の本体カバー部と、前記本体カバー部の上端から延出されて前記かごよりも上方へ延びた伸長姿勢と該本体カバー部の内部に折り込まれて収納された収納姿勢とに姿勢変更自在に構成された筒状の補助カバー部と、前記補助カバー部の上端開口部を閉じるために開閉自在に設けられた蓋部と、前記蓋部を補助カバー部に固定及び固定解除自在にするための蓋用ファスナーと、前記補助カバー部の中間部が前記本体カバー部の内部に折り込まれた収納姿勢に姿勢変更された状態において、前記補助カバー部の中間部を除いた上端側と下端側とを連結固定及び連結解除自在とするための上下方向で２つに分離可能なオープンファスナーとを備えている。
したがって、蓋部がかごの上端にほぼ位置する通常時には、補助カバー部が本体カバー部の内部に折り込まれることによって、収納ゴム紐等でかごの内部空間に大きく突出することがないので、荷物の出し入れの邪魔になることや、パンなどの変形しやすい荷物を突出した部分で押しつぶされることが少なくなる。また、オープンファスナーを開閉することで長尺物を収容するための伸長姿勢と通常の収容時の収納姿勢とに姿勢変更するので、長尺物を収容するときやかごの収容能力を超えるように荷物が多いときには伸長姿勢に姿勢変更することができ、かごの収容能力を超えないようなとき（荷物が多くないとき）には、補助カバー部を内部に収納した後にオープンファスナーを閉じることで、補助カバー部を折り込まれた収納姿勢に確実に維持できるようになる。
【０００６】
また、前記本体カバー部の内側に前記補助カバー部を位置させた状態で、前記オープンファスナーの下側のテープ部にて該本体カバー部と該補助カバー部とを連結するようにしてもよい。
【０００７】
また、前記本体カバー部の外面には、反射部材を備えたポケットを備えさせてもよい。
【０００８】
また、前記補助カバー部の周面の一部又は全部に、該補助カバー部の上端と下端とにほぼ渡る状態で伸縮部材を備えさせてもよい。
【０００９】
また、前記補助カバー部の伸長姿勢において自転車のハンドルと前記蓋部とを連結して両者の間隔を設定間隔に保持するための間隔保持部材を備えてもよい。
【発明の効果】
【００１０】
以上にしてなる本願発明に係る自転車かごカバーは、ゴム紐等で自転車のかごの内部空間が小さくなることがないので、収容面積が小さくなることを回避することができるだけでなく、パン等の変形しやすいもの、壊れやすいものなどの荷物をかごに収納するときでも、前記ゴム紐によって変形したり、破損することを防ぐことができる。オープンファスナーを開くことで、収納する荷物がかごの高さより高い長尺物であったり、かごの収容体積を超えるような多くの荷物を収容するときでも、かごに収納することができる。また、荷物がかごの高さより低いときや荷物が収容体積以下の場合には、補助カバー部を本体カバー部の内部に折り込んで収納することができる。また、オープンファスナーを閉じることで収納姿勢に変更するので、強風が来たときでも収納姿勢が解除されることがなく、強固に維持することができる。
【００１１】
また、オープンファスナーのテープ部にて本体カバー部と補助カバー部とを連結しているので、該オープンファスナーの務歯が常に上方に向くようにでき、オープンファスナーの開閉作業を容易に実施することができる。また、本体カバー部の内側に補助カバー部が位置している状態でテープ部にて連結していることから、伸長姿勢の補助カバー部を折り込んで収納姿勢に姿勢変更する場合に、蓋部を下げるだけで、補助カバー部が自ずと内側に折り込まれて収納姿勢になり、姿勢変更を迅速に行える。
【００１２】
また、本体カバー部の外面に反射部材を備えたポケットを備えているので、夜間に車などから存在を認識容易にし、かつ、小物をポケットに収納することができる。
【００１３】
また、補助カバー部の周面に伸縮部材を備えているので、伸長姿勢から収納姿勢に姿勢変更するときに、該伸縮部材の伸縮によって、補助カバー部が本体カバー部の内部に折り込まれ、収納姿勢への姿勢変更が容易になる。また、伸長姿勢で走行しているときには、伸長状態の伸縮部材が短縮側へ戻ろうとする力によって蓋部が下方側に軽く押さえられて、収納している荷物の移動や、蓋部のバタつきなどを防ぐことができる。
【００１４】
また、間隔保持部材によって自転車のハンドルと蓋部とを連結し、その間隔を保持しているので、走行時の振動や風などによる蓋部のバタつきを抑えて快適な走行ができる。
【発明を実施するための最良の形態】
【００１５】
本願発明に係る自転車かごカバーは、自転車の前かごや後ろかごを覆うものであり、以下に示す実施例では、前かごに被せる（装着させる）カバーを実施例として説明する。
自転車かごカバー（以下、カバーと称す。）１は、図１〜４に示すように、自転車の前かご１０の側面を少なくとも覆うことが可能な筒状で可撓性を有するシート状の本体カバー部２と、この本体カバー部２の上端から延出された筒状で可撓性を有するシート状の補助カバー部３と、前記補助カバー部３の上端開口部を閉じるために開閉自在に設けられた蓋部４と、前記蓋部４と補助カバー部３とを固定及び固定解除自在にするための蓋用ファスナー５と、図１に示すように前記補助カバー部３の中間部が前記本体カバー部２の内側、つまりかご１０の内側にほぼ二つ折り状態で折り込まれた収納姿勢（図４参照）に姿勢変更された状態において、前記補助カバー部３の中間部を除いた上端側と下端側とを連結固定及び固定解除自在とするための上下方向で２つに分離可能なオープンファスナー６、本体カバー部２の上端をかご１０に固定するための固定部材９によって主に構成されている。
【００１６】
前記筒状の本体カバー部２は、図３及び図４に示すように、防水性を備えた繊維素材からなり、かご１０の形状に対応させて変形可能である。この本体カバー部２の上端は、かご１０の上面とほぼ同じ高さに位置するように、該本体カバー部２の上端付近に備えられた紐などの固定部材９によってかご１０に固定され、該本体カバー部２の下端に備えられている紐部材１１をかご１０の底面を覆うように該下端部分を絞り、カバー１をかご１０に固定している。本体カバー部２の上端付近には、前記補助カバー部３の下端とを連結するための前記オープンファスナー６を構成する上下一対の構成部材の一方（下側）が備えられ、前記補助カバー部３の上端側に備えられる他方の構成部材とで上下方向で着脱自在となっている。また、夜間等の暗い場所で、外部から視認容易にするために、反射部材７を本体カバー部２の前面側（自転車の進行方向側）の外面に備えている。なお、カバー１を後ろかご１０に装着するときには、自転車の背面側に位置するように前記反射部材７を備えたポケット８を本体カバー部２の外面に備える。この反射部材７及びポケット８は、かご１０の前面（後ろかごのときには、背面）に備えるだけでなく、本体カバー部２の左側面や右側面に備えさせてもよい。また、図示していないが、本体カバー部２の周面後ろ側には、下端から上方に向かって切り込まれた切込部があり、この切込部にかご１０と自転車との連結部材が位置するようにして装着させる。
【００１７】
前記補助カバー部３は、前記本体カバー部２と同様に防水性を備えた繊維材料からなり、収納姿勢のときには、本体カバー部２の内側に折り込まれ、伸長姿勢のときには本体カバー部２の内側に折り込まれていた部分が上方に伸びる。この補助カバー部３の上端側と下端側には、上下方向で２つに分離可能なオープンファスナー６が備えられており、伸長姿勢に姿勢変更するときには該オープンファスナー６の構成部材である上下一対のテープ材６ｂ，６ｂにそれぞれ縫い付けられた務歯６ａ，６ａ同士を噛み合わせたスライダー６ｃ，６ｃを下止（下箱）側に移動させることによって、上側の構成部材であるテープ材６ｂの務歯６ａと下側の構成部材であるテープ材６ｂの務歯６ａとの噛み合いを解除することで、オープンファスナー６を上下方向で分離する。また、伸長姿勢から収納姿勢に姿勢変更するときには、上側の構成部材であるテープ材６ｂの務歯６ａと下側の構成部材であるテープ材６ｂの務歯６ａとを引き寄せてから、スライダー６ｃにて両者を噛み合わせることで、オープンファスナー６を閉じて、かご１０の上面に蓋部４を位置させることができる。ここでは、周方向の半分の長さに設定された２本のオープンファスナー６を備えさせて連結固定及び連結解除自在にしている場合を示しているが、周方向ほぼ全周に渡る長さの１本のオープンファスナー６を備えさせてもよいし、場合によっては３本以上オープンファスナー６を備えさせて実施してもよい。
【００１８】
詳述すれば、前記オープンファスナー６は、スライダーをファスナーの下止（下箱）まで移動させて務歯同士の噛合を解除したときに上下方向で２つに分離可能なファスナーである。このオープンファスナー６は、前記補助カバー部３の上端側（上端）に一方のテープ部６ａを、下端側（下端）に他方のテープ部６ａが備えられている。補助カバー部３の上端側に備えられるオープンファスナー６の務歯６ｂは、伸長姿勢のときには下方を向くように設けられている。一方、補助カバー部の下端側のオープンファスナー６は、図３に示すように、前記本体カバー部２の内側にテープ部６ａが位置し、さらにこのテープ部６ａの内側に前記補助カバー部３の下端が位置するように連結され、伸長姿勢のときには、務歯６ｂが上方（補助カバー部３の上端側）を向くように設けられ、該オープンファスナー６の務歯６ｂ，６ｂ同士が向き合って操作容易になっている。かご１０に収納する荷物がかご１０の高さより高いときには、オープンファスナー６のスライダー６ｃを操作してオープンファスナー６を分離し、蓋部４の高さを高くして荷物が収納可能にする。また、荷物がかご１０の高さより低いときや、かご１０に荷物を収納しないときには、オープンファスナー６を閉じて収納姿勢にする。
【００１９】
前記蓋部４は、防水性を備えた繊維素材からなり、その周縁には前記蓋用ファスナー５が設けられている。また、蓋部４の上面は、前記繊維素材が２重になり、その間にスポンジなどの緩衝材４ａが挟まれ、蓋部４の上面が押さえられたときでもかご１０に収納されている荷物を保護する。なお、蓋部４は、かご１０の上面の形状とほぼ同じ形状で上面とほぼ同じ大きさ若しくは少し大きくなっており、かご１０の上面の形状が矩形のときには蓋部４は矩形をしており、かご１０上面の形状が楕円形のときには蓋部４は楕円形をしている。また、蓋部４の一辺は補助カバー部３の上端側の一辺と連結され、その連結部を支点として蓋部４を開閉できるようになっており、蓋部４を開いたときは、該蓋部４とカバー１とが取り外しできないようになっている。なお、蓋部４の周縁の全周に渡って、前記オープンファスナー６のように上下方向で２つに分離可能なファスナーを備え、蓋部４を開けたときに該蓋部４が取り外し可能に構成してもよい。
【００２０】
図２及び図３に示すように、前記蓋用ファスナー５は、前記蓋部４の外周縁と補助カバー部３の上端に固定及び固定解除自在にするファスナーであり、前記蓋部４の外周縁を折り曲げて上方に立ち上げた立ち上げ部４ｂに蓋用ファスナー５を構成する上下一対のテープ部５ａ，５ａのうちの上側のテープ部５ａの上側部分を重複させ、その重複部分を上方から逆Ｕ字状に折り曲げたカバー部材１５にて覆った状態で縫い付けることによって、蓋部４の外周縁の保形強度を高めるようにしているが、他の構成であってもよい。前記上側のテープ部５ａの下端に、務歯５ｂが下方を向くように備えられている。前記他方の下側のテープ部５ａの一端を、前記補助カバー部３の上端に重複する状態で配置し、該補助カバー部３の外側に位置する前記テープ部６ａと共に上方から逆Ｕ字状に折り曲げたカバー部材１６にて覆った状態で縫い付けることによって、補助カバー部３の上端部分の保形強度を高めるとともに前記のように蓋部４の外周縁の保形強度をも高めることで蓋用ファスナー５を容易に開閉操作することができるようにしているが、他の構成であってもよい。前記下側のテープ部５ａの他端側を折り曲げて上方へ向くようにし、その上端の外面に務歯５ｂを上方に向いた状態で縫い付けて備えさせている。また、かご１０に荷物を収納する、又は収納されている荷物を取り出すときに、スライダー５ｃを周方向に移動操作して蓋部４を開閉する。蓋用ファスナー５は、１つのスライダー５ｃによって開閉自在に設けてもよいが、図２に示すように、２つのスライダー５ｃ，５ｃによって開閉できるようにすると、両手で蓋部４の開閉作業を行うことができるだけでなく、小さな荷物を出し入れするときには、一方のスライダー５ｃのみを操作するだけで作業を行うことができる。
【００２１】
また、図５に示すように、ゴムなどの伸縮性を備えた伸縮部材１２を補助カバー部３の周面の一部に該補助カバー部３の上端から下端に渡る長さで備えさせ、伸長姿勢から収納姿勢に姿勢変更するときに、該伸縮部材１２の伸縮力によって、補助カバー部３が本体カバー部２の内部に折り込まれ、収納姿勢への姿勢変更が容易になる。また、伸長姿勢で走行しているときには、伸縮部材１２の伸縮力によって蓋部４が下方側に軽く押さえられるので、収納している荷物の移動や、蓋部４のバタつきなどを防ぐことができる。なお、図５では、補助カバー部３の周面の一部に前記伸縮部材１２を備えさせているが、補助カバー部３の周面の全面に、該補助カバー部３の上端と下端とにほぼ渡るように伸縮部材１２を備えさせてもよい。
【００２２】
また、カバー１は、図５及び図６に示すように、伸長姿勢のときに自転車のハンドル１４と前記蓋部４とを連結するための間隔保持部材１３，１３を備え、該ハンドル１４と蓋部４との前後方向の間隔を設定間隔に保持させている。この間隔保持部材１３は、それの長手方向のハンドル１４側の端部には面ファスナー１３ａを備え、ハンドルに備えられている面ファスナーと噛合する。間隔保持部材１３の蓋部４側の端部には、ボタン１３ｂが備えられ、蓋部４の上面に着脱可能に固定されている。この間隔保持部材１３は、前記蓋部４の高さによって面ファスナー１３ａの噛合位置を変更することで適宜の長さに保持する。なお、間隔保持部材１３の蓋部４側の端部は、ボタン１３ｂによって着脱可能に固定することによって、不要時には間隔保持部材１３を取り外しておくことができる利点があるが、該端部を蓋部４の上面に縫い付けて完全に取り外し不能にしてもよい。このように、伸長姿勢において、蓋部４とハンドル１４との間隔が一定になるようにしているので、走行時の振動や風などによる蓋部４のバタつきを抑えてかご内の収容物が内部で不測に移動することがなく快適な走行ができる。
【図面の簡単な説明】
【００２３】
【図１】自転車のかごに自転車かごカバーを収納姿勢で備えさせたときの斜視図である。
【図２】自転車のかごに自転車かごカバーを伸長姿勢で備えさせたときの斜視図である。
【図３】伸長姿勢の自転車かごカバーの説明図である。
【図４】自転車かごカバーをかごに装着したときの断面図である。
【図５】伸縮部材と間隔保持部材を備えた自転車かごカバーの斜視図である。
【図６】間隔保持部材を備えた自転車かごカバーを上方から見た図である。
【符号の説明】
【００２４】
１    カバー
２    本体カバー部
３    補助カバー部
４    蓋部
４ａ  緩衝材
４ｂ  立ち上げ部
５    蓋用ファスナー
５ａ  テープ部
５ｂ  務歯部
５ｃ  スライダー
６    オープンファスナー
６ａ  テープ部
６ｂ  務歯
７    反射部材
８    ポケット
９    固定部材
１０  かご
１１  紐部材
１２  伸縮部材
１３  間隔保持部材
１３ａ  面ファスナー
１３ｂ  ボタン
１４  ハンドル
１５  カバー部材
１６  カバー部材
【図１】
2006213240.tif 000003
【図２】
2006213240.tif 000004
【図３】
2006213240.tif 000005
【図４】
2006213240.tif 000006
【図５】
2006213240.tif 000007
【図６】
2006213240.tif 000008